Podtech/llm-jp-corpus-v4-ja_patent huggingface dataset:
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
コーディングユニットのクロマサンプリングフォーマットに基づいて、前記コーディングユニットのリーフノードに対して、第１および第２の正方形サブブロックを備える長方形クロマブロックを取得することと、
前記長方形クロマブロックを備える前記リーフノードに基づいて、長方形クロマブロック全体に対するコード化ブロックフラグ（ＣＢＦ）を復号しないことと、
前記第１の正方形サブブロックが少なくとも１つの非ゼロ変換係数を含むかどうかを示す前記第１の正方形サブブロックに対する第１のＣＢＦを復号することと、
前記第２の正方形サブブロックが少なくとも１つの非ゼロ変換係数を含むかどうかを示す前記第２の正方形サブブロックに対する第２のＣＢＦを復号することと、
を備える、方法。
【請求項２】
前記第１のサブブロックが上部サブブロックを備え、前記第２のサブブロックが前記長方形クロマブロックの下部サブブロックを備え、好ましくは、前記コーディングユニットが、４：２：２サンプリングフォーマットを有し、さらに好ましくは、
前記変換係数を使用して残差データを生成することと、
前記残差データを使用してコード化ビデオデータを復元することと
をさらに備える、請求項１に記載の方法。
【請求項３】
ビデオデータを符号化する方法であって、
コーディングユニットのクロマサンプリングフォーマットに基づいて、リーフノードに対応する長方形クロマブロックを第１および第２の正方形サブブロックに分割することと、
前記長方形クロマブロックを備える前記リーフノードに基づいて、長方形クロマブロック全体に対するコード化ブロックフラグ（ＣＢＦ）を符号化しないことと、
前記第１の正方形サブブロックが少なくとも１つの非ゼロ変換係数を含むかどうかを示すために、前記第１の正方形サブブロックに対する第１のＣＢＦを符号化することと、
前記第２の正方形サブブロックが少なくとも１つの非ゼロ変換係数を含むかどうかを示すために、前記第２の正方形サブブロックに対する第２のＣＢＦを符号化することと、
を備える、方法。
【請求項４】
前記第１のサブブロックが上部サブブロックを備え、前記第２のサブブロックが前記長方形クロマブロックの下部サブブロックを備える、請求項３に記載の方法。
【請求項５】
前記コーディングユニットが、４：２：２サンプリングフォーマットを有する、請求項３または４に記載の方法。
【請求項６】
前記変換係数を使用して残差データを生成することと、
前記残差データを使用してビデオデータを符号化することと
をさらに備える、請求項３に記載の方法。
【請求項７】
ビデオデータを復号するための装置であって、
コーディングユニットのクロマサンプリングフォーマットに基づいて、前記コーディングユニットのリーフノードに対して、第１および第２の正方形サブブロックを備える長方形クロマブロックを取得することと、
前記長方形クロマブロックを備える前記リーフノードに基づいて、長方形クロマブロック全体に対するコード化ブロックフラグ（ＣＢＦ）を復号しないことと、
前記第１の正方形サブブロックが少なくとも１つの非ゼロ変換係数を含むかどうかを示す前記第１の正方形サブブロックに対する第１のＣＢＦを復号することと、
前記第２の正方形サブブロックが少なくとも１つの非ゼロ変換係数を含むかどうかを示す前記第２の正方形サブブロックに対する第２のＣＢＦを復号することと
を行うように構成された１つまたは複数のプロセッサを備える、装置。
【請求項８】
前記第１のサブブロックが上部サブブロックを備え、前記第２のサブブロックが前記長方形クロマブロックの下部サブブロックを備える、請求項７に記載の装置。
【請求項９】
前記コーディングユニットが、４：２：２サンプリングフォーマットを有する、請求項７または８に記載の装置。
【請求項１０】
前記１つまたは複数のプロセッサが、
前記変換係数を使用して残差データを生成することと、
前記残差データを使用してコード化ビデオデータを復元することと
を行うようにさらに構成される、請求項７に記載の装置。
【請求項１１】
ビデオデータを符号化するための装置であって、
コーディングユニットのクロマサンプリングフォーマットに基づいて、前記コーディングユニットのリーフノードに対応する長方形クロマブロックを第１および第２の正方形サブブロックに分割することと、
前記長方形クロマブロックを備える前記リーフノードに基づいて、長方形クロマブロック全体に対するコード化ブロックフラグ（ＣＢＦ）を符号化しないことと、
前記第１の正方形サブブロックが少なくとも１つの非ゼロ変換係数を含むかどうかを示すために、前記第１の正方形サブブロックに対する第１のＣＢＦを符号化することと、
前記第２の正方形サブブロックが少なくとも１つの非ゼロ変換係数を含むかどうかを示すために、前記第２の正方形サブブロックに対する第２のＣＢＦを符号化することと、
を行うように構成された１つまたは複数のプロセッサ
を備える、装置。
【請求項１２】
前記第１のサブブロックが上部サブブロックを備え、前記第２のサブブロックが前記長方形クロマブロックの下部サブブロックを備える、請求項１１に記載の装置。
【請求項１３】
前記コーディングユニットが、４：２：２サンプリングフォーマットを有する、請求項１１または１２に記載の装置。
【請求項１４】
前記１つまたは複数のプロセッサが、
前記変換係数を使用して残差データを生成することと、
前記残差データを使用してビデオデータを符号化することと
を行うようにさらに構成される、請求項１１に記載の装置。
【請求項１５】
１つまたは複数のプロセッサによる実行時に、前記１つまたは複数のプロセッサに、
コーディングユニットのクロマサンプリングフォーマットに基づいて、前記コーディングユニットのリーフノードに対して、第１および第２の正方形サブブロックを備える長方形クロマブロックを取得することと、
前記長方形クロマブロックを備える前記リーフノードに基づいて、長方形クロマブロック全体に対するコード化ブロックフラグ（ＣＢＦ）を復号しないことと、
前記第１の正方形サブブロックが少なくとも１つの非ゼロ変換係数を含むかどうかを示す前記第１の正方形サブブロックに対する第１のコード化ブロックフラグ（ＣＢＦ）をコード化することと、
前記第２の正方形サブブロックが少なくとも１つの非ゼロ変換係数を含むかどうかを示す前記第２の正方形サブブロックに対する第２のＣＢＦをコード化することと、
を行わせる命令を記憶する、非一時的コンピュータ可読記憶媒体。
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
高解像度クロマ・サンプリング・フォーマットの１以上のフレームを受信する受信ステップであって、前記高解像度クロマ・サンプリング・フォーマットの前記１以上のフレームは、クロマ成分のサンプル値及びルマ成分のサンプル値を含む、受信ステップと、
前記高解像度クロマ・サンプリング・フォーマットの前記１以上のフレームを、低解像度クロマ・サンプリング・フォーマットの１以上のフレームにパックするパッキング・ステップであって、前記低解像度クロマ・サンプリング・フォーマットは、前記高解像度クロマ・サンプリング・フォーマットよりも低いクロマ解像度を有し、前記パッキング・ステップは、前記高解像度クロマ・サンプリング・フォーマットの前記１以上のフレームの前記クロマ成分の前記サンプル値の一部を、前記低解像度クロマ・サンプリング・フォーマットの前記１以上のフレームのうちの１つのフレームのルマ成分のサンプル値に割り当てるステップを含む、パッキング・ステップと、
を含む、方法。
【請求項２】
前記パッキング・ステップの後に、
前記低解像度クロマ・サンプリング・フォーマットの前記１以上のフレームを符号化する符号化ステップ
をさらに含む、請求項１記載の方法。
【請求項３】
前記パッキング・ステップは、前記低解像度クロマ・サンプリング・フォーマットの前記１以上のフレームのルマ成分及びクロマ成分の隣接サンプル及び／又は配置された部分として、前記高解像度クロマ・サンプリング・フォーマットの前記１以上のフレームの前記クロマ成分の隣接サンプル値間の幾何学的対応を維持し、
前記符号化ステップは、前記幾何学的対応を利用する、請求項２記載の方法。
【請求項４】
前記符号化ステップは、
（ａ）動きベクトルの導出及び予測モードの導出のうちの１以上を含む符号化オペレーションにおいて、且つ／あるいは
（ｂ）動き推定、量子化パラメータの選択、及び予測モードの選択のうちの１以上を含む符号化決定をガイドするために、
前記幾何学的対応を利用する、請求項３記載の方法。
【請求項５】
前記低解像度クロマ・サンプリング・フォーマットの前記１以上のフレームの第１部分は、前記高解像度クロマ・サンプリング・フォーマットの前記１以上のフレームの低クロマ解像度バージョンを表し、前記低解像度クロマ・サンプリング・フォーマットの前記１以上のフレームの第２部分であって、前記低解像度クロマ・サンプリング・フォーマットの前記１以上のフレームのうちの１つのフレームの前記ルマ成分を含む前記第２部分は、前記高解像度クロマ・サンプリング・フォーマットの前記１以上のフレームからの残存するクロマ情報を表す、請求項１記載の方法。
【請求項６】
前記パッキング・ステップは、
前記高解像度クロマ・サンプリング・フォーマットの前記１以上のフレームの前記クロマ成分の前記サンプル値をアンチエイリアス・フィルタリングするステップと、
前記低解像度クロマ・サンプリング・フォーマットの前記１以上のフレーム間において、前記のアンチエイリアス・フィルタリングしたサンプル値をメイン・ビューのクロマ成分のサンプル値に割り当てるステップと、
を含む、請求項１記載の方法。
【請求項７】
プロセッサ及びメモリを備えたコンピューティング・デバイスであって、前記コンピューティング・デバイスは、高解像度クロマ・サンプリング・フォーマットのフレームを再構築する動作を実行するよう構成されており、前記動作は、
低解像度クロマ・サンプリング・フォーマットの１以上のフレームを受信することであって、前記低解像度クロマ・サンプリング・フォーマットは、前記高解像度クロマ・サンプリング・フォーマットよりも低いクロマ解像度を有する、受信することと、
前記低解像度クロマ・サンプリング・フォーマットの前記１以上のフレームを、前記高解像度クロマ・サンプリング・フォーマットの１以上のフレームにアンパックすることであって、前記高解像度クロマ・サンプリング・フォーマットの前記１以上のフレームは、クロマ成分のサンプル値及びルマ成分のサンプル値を含み、前記アンパックすることは、前記低解像度クロマ・サンプリング・フォーマットの前記１以上のフレームのうちの１つのフレームのルマ成分のサンプル値を、前記高解像度クロマ・サンプリング・フォーマットの前記１以上のフレームの前記クロマ成分の前記サンプル値の一部に割り当てることを含む、アンパックすることと、
を含む、コンピューティング・デバイス。
【請求項８】
前記動作は、前記受信すること及び前記アンパックすることの前に、
前記低解像度クロマ・サンプリング・フォーマットの前記１以上のフレームを復号化すること
をさらに含む、請求項７記載のコンピューティング・デバイス。
【請求項９】
前記低解像度クロマ・サンプリング・フォーマットの前記１以上のフレームの第１部分は、前記高解像度クロマ・サンプリング・フォーマットの前記１以上のフレームの低クロマ解像度バージョンを表し、前記低解像度クロマ・サンプリング・フォーマットの前記１以上のフレームの第２部分であって、前記低解像度クロマ・サンプリング・フォーマットの前記１以上のフレームのうちの１つのフレームの前記ルマ成分を含む前記第２部分は、前記高解像度クロマ・サンプリング・フォーマットの前記１以上のフレームからの残存するクロマ情報を表す、請求項７記載のコンピューティング・デバイス。
【請求項１０】
前記動作は、
前記低解像度クロマ・サンプリング・フォーマットの前記１以上のフレームの第１部分が、前記高解像度クロマ・サンプリング・フォーマットの前記１以上のフレームの低クロマ解像度バージョンを表し、前記低解像度クロマ・サンプリング・フォーマットの前記１以上のフレームの第２部分であって、前記低解像度クロマ・サンプリング・フォーマットの前記１以上のフレームのうちの１つのフレームの前記ルマ成分を含む前記第２部分が、前記高解像度クロマ・サンプリング・フォーマットの前記１以上のフレームからの残存するクロマ情報を表すことを示すメタデータを受信すること
をさらに含む、請求項７記載のコンピューティング・デバイス。
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ピクチャの漸次デコーダリフレッシュ（ＧＤＲ）が有効化されているかどうかを示す情報を復号することと、
ＧＤＲが有効化されているとき、前記ピクチャのそれぞれのスライスが前記ピクチャのＧＤＲフォアグラウンド領域であるかどうかを示す、補足強調情報（ＳＥＩ）メッセージ中の情報を復号することと
を備え、
前記ＧＤＲフォアグラウンド領域は、イントラコード化ブロックのみを含み、前記ＧＤＲフォアグラウンド領域は、復号順序で、前記ピクチャに先行するコード化ピクチャに属すコード化スライスから独立して復号可能であり、同じピクチャセット中のＧＤＲフォアグラウンド領域でないコード化スライスから、独立して復号可能である、方法。
【請求項２】
前記ピクチャの前記ＧＤＲフォアグラウンド領域として示される前記ピクチャの前記１つまたは複数のそれぞれのスライスに基づいて、前記ピクチャの前記ＧＤＲフォアグラウンド領域に対応するビデオデータを生成することをさらに備える、請求項１に記載の方法。
【請求項３】
ＧＤＲが有効化されているかどうかを示す情報を復号することは、ＧＤＲが有効化されているかどうかを示すための前記情報を、シーケンスパラメータセット、ビデオパラメータセット、ピクチャパラメータセット、またはＳＥＩメッセージのうちの１つにおいて復号することを備える、請求項１に記載の方法。
【請求項４】
前記ＧＤＲ開始点からランダムアクセスを実施することをさらに備える、請求項３に記載の方法。
【請求項５】
前記ピクチャの前記それぞれのスライスが前記ＧＤＲフォアグラウンド領域であるかどうかを示す前記情報は、前記ＳＥＩメッセージ中のフラグを備え、前記ピクチャの前記それぞれのスライスが前記ＧＤＲフォアグラウンド領域であるかどうかを示す前記情報は、前記ピクチャの１つまたは複数のそれぞれのスライスが、次のＳＥＩメッセージの前に受信された１つまたは複数の後続スライスのために、前記ピクチャの前記ＧＤＲフォアグラウンド領域であるかどうかを示す、前記ＳＥＩメッセージ中のフラグを備える、請求項１に記載の方法。
【請求項６】
ビデオデータを符号化する方法であって、
ピクチャのＧＤＲが有効化されているかどうかを示す情報を符号化することと、
ＧＤＲが有効化されているとき、前記ピクチャのそれぞれのスライスが前記ピクチャのＧＤＲフォアグラウンド領域であるかどうかを示す、補足強調情報（ＳＥＩ）メッセージ中の情報を符号化することと
を備え、
前記ＧＤＲフォアグラウンド領域は、イントラコード化ブロックのみを含み、前記ＧＤＲフォアグラウンド領域は、復号順序で、前記ピクチャに先行するコード化ピクチャに属すコード化スライスから独立して復号可能であり、同じピクチャセット中のＧＤＲフォアグラウンド領域でないコード化スライスから、独立して復号可能である、方法。
【請求項７】
前記ピクチャの前記それぞれのスライスが前記ＧＤＲフォアグラウンド領域であるかどうかを示す前記情報は、前記ＳＥＩメッセージ中のフラグを備える、請求項１または６に記載の方法。
【請求項８】
前記ピクチャは、前記同じピクチャセットの複数のピクチャのうちの１つを備え、前記ＧＤＲフォアグラウンド領域は、複数のフォアグラウンド領域のうちの１つを備え、前記複数のピクチャの各々は、フォアグラウンド領域を有し、これらのフォアグラウンド領域の各々は、１つまたは複数のスライスを有し、前記方法は、前記複数のピクチャがＧＤＲ開始点とＧＤＲ回復点との間にあることを示す情報をコーディングすることをさらに備える、請求項１または６に記載の方法。
【請求項９】
前記複数のピクチャ中のフォアグラウンド領域として示される前記それぞれのスライスに対応するビデオデータをコーディングすることをさらに備える、請求項８に記載の方法。
【請求項１０】
前記複数のピクチャ中のフォアグラウンド領域として示されないスライスに対応するビデオデータを破棄することをさらに備える、請求項９に記載の方法。
【請求項１１】
ＧＤＲが有効化されているかどうかを示す情報を符号化することは、ＧＤＲが有効化されているかどうかを示すための前記情報を、シーケンスパラメータセット、ビデオパラメータセット、ピクチャパラメータセット、またはＳＥＩメッセージのうちの１つにおいて符号化することを備える、請求項６に記載の方法。
【請求項１２】
ビデオデータをコーディングするための装置であって、
ピクチャのＧＤＲが有効化されているかどうかを示す情報をコーディングするための手段と、
ＧＤＲが有効化されているとき、前記ピクチャのそれぞれのスライスが前記ピクチャのＧＤＲフォアグラウンド領域であるかどうかを示す、補足強調情報（ＳＥＩ）メッセージ中の情報をコーディングするための手段と
を備え、
前記ＧＤＲフォアグラウンド領域は、イントラコード化ブロックのみを含み、前記ＧＤＲフォアグラウンド領域は、復号順序で、前記ピクチャに先行するコード化ピクチャに属すコード化スライスから独立して復号可能であり、同じピクチャセット中のＧＤＲフォアグラウンド領域でないコード化スライスから、独立して復号可能である、装置。
【請求項１３】
前記ピクチャの前記それぞれのスライスが前記ＧＤＲフォアグラウンド領域であるかどうかを示す前記情報は、前記ＳＥＩメッセージ中のフラグを備える、請求項１２に記載の装置。
【請求項１４】
前記ピクチャは、前記同じピクチャセットの複数のピクチャのうちの１つを備え、前記ＧＤＲフォアグラウンド領域は、複数のフォアグラウンド領域のうちの１つを備え、前記複数のピクチャの各々は、フォアグラウンド領域を有し、これらのフォアグラウンド領域の各々は、１つまたは複数のスライスを有し、
前記装置は、前記複数のピクチャがＧＤＲ開始点とＧＤＲ回復点との間にあることを示す情報をコーディングするための手段をさらに備え、
前記装置は、好ましくは、前記複数のピクチャ中の前記フォアグラウンド領域として示される前記それぞれのスライスに対応するビデオデータをコーディングするための手段をさらに備え、好ましくは、前記ＧＤＲ開始点と前記ＧＤＲ回復点との間の、前記ピクチャ中のフォアグラウンド領域として示されない前記スライスに対応するビデオデータを破棄するための手段をさらに備える、請求項１２に記載の装置。
【請求項１５】
命令を記憶したコンピュータ可読記憶媒体であって、前記命令は、実行されると、デバイスの１つまたは複数のプロセッサに、請求項１乃至１１のうちの何れか１項に記載の方法を実行させる、コンピュータ可読記憶媒体。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
コーディングユニットのクロマサンプリングフォーマットに基づいて、前記コーディングユニットのリーフノードに対して、第１の正方形サブブロックと第２の正方形サブブロックとを備える長方形クロマブロックを取得することと、
サブブロックレベルにおいて、前記第１の正方形サブブロックに対する第１の残差データを取得することと、
前記第１の残差データに基づいて、前記第１の正方形サブブロックを復元することと、
前記復元された第１の正方形サブブロックからの参照サンプルを使用して前記第２の正方形サブブロックをイントラ予測することとを備える、方法。
【請求項２】
復元することが、イントラ予測されたクロマデータの第１のブロックと前記第１の正方形サブブロックに対して取得された前記第１の残差データとを使用して前記第１の正方形サブブロックを復元することを備え、
前記第２の正方形サブブロックをイントラ予測することが、
前記復元された第１の正方形サブブロックからの参照サンプルを使用して、イントラ予測されたクロマデータの第２のブロックを生成することと、
イントラ予測されたクロマデータの前記第２のブロックと前記第２の正方形サブブロックに対する第２の残差データとを使用して、第２の正方形変換サブブロックを復元することとを備える、請求項１に記載の方法。
【請求項３】
前記第１の正方形サブブロックの変換係数を逆量子化することと、
前記第１の残差データを生成するために前記逆量子化された変換係数を逆変換することと、
第１の正方形変換サブブロックを復元するために、前記第１の残差データをイントラ予測されたクロマデータの前記第１のブロックに加算することとをさらに備える、請求項２に記載の方法。
【請求項４】
前記第１の正方形サブブロックに加えられるものである、隣接ブロックのイントラ予測サンプルを使用して、イントラ予測されたクロマデータの前記第２のブロックを生成することをさらに備える、請求項１に記載の方法。
【請求項５】
前記第１の正方形サブブロックが前記長方形クロマブロックの上部ブロックであり、前記第２の正方形サブブロックが前記長方形クロマブロックの下部ブロックである、請求項４に記載の方法。
【請求項６】
ビデオデータを符号化する方法であって、
コーディングユニットのクロマサンプリングフォーマットに基づいて、前記コーディングユニットのリーフノードが第１の正方形サブブロックと第２の正方形サブブロックとを備える長方形クロマブロックを備えると決定することと、
サブブロックレベルにおいて、前記第１の正方形サブブロックに対する第１の残差データを決定することと、
前記第１の残差データに基づいて、前記第１の正方形サブブロックに対する参照サンプルを復元することと、
前記復元された第１の正方形サブブロックに対する前記参照サンプルを使用して前記第２の正方形サブブロックをイントラ予測することとを備える、方法。
【請求項７】
前記第２の正方形サブブロックをイントラ予測することが、
前記第１の正方形サブブロック内のイントラ予測サンプルに基づいて、イントラ予測されたクロマデータの第２のブロックを生成することと、
前記第２の正方形サブブロックに対する第２の残差データを符号化することとを備える、請求項６に記載の方法。
【請求項８】
前記第１の正方形サブブロックの変換係数を量子化することと、
前記第１の残差データを生成するために前記逆量子化された変換係数を変換することとをさらに備える、請求項７に記載の方法。
【請求項９】
前記第１の正方形サブブロックの前記参照サンプルに加えて他の参照サンプルを使用して、イントラ予測されたクロマデータの前記第２のブロックを符号化することをさらに備える、請求項６に記載の方法。
【請求項１０】
前記第１の正方形サブブロックが前記長方形クロマブロックの上部ブロックであり、前記第２の正方形サブブロックが前記長方形クロマブロックの下部ブロックである、請求項９に記載の方法。
【請求項１１】
ビデオデータを復号するための装置であって、
コーディングユニットのクロマサンプリングフォーマットに基づいて、前記コーディングユニットのリーフノードに対して、第１の正方形サブブロックと第２の正方形サブブロックとを備える長方形クロマブロックを取得するための手段と、
サブブロックレベルにおいて、前記第１の正方形サブブロックに対する第１の残差データを取得するための手段と、
前記第１の残差データに基づいて、前記第１の正方形サブブロックを復元するための手段と、
前記復元された第１の正方形サブブロックからの参照サンプルを使用して前記第２の正方形サブブロックをイントラ予測するための手段とを備える、装置。
【請求項１２】
復元するための前記手段が、イントラ予測されたクロマデータの第１のブロックと前記第１の正方形サブブロックに対して取得された前記第１の残差データとを使用して前記第１の正方形サブブロックを復元するための手段を備え、
前記第２の正方形サブブロックをイントラ予測することが、
前記復元された第１の正方形サブブロックからの参照サンプルを使用して、イントラ予測されたクロマデータの第２のブロックを生成するための手段と、
イントラ予測されたクロマデータの前記第２のブロックと前記第２の正方形サブブロックに対する第２の残差データとを使用して、前記第２の正方形サブブロックを復元するための手段とを備える、請求項１１に記載の装置。
【請求項１３】
前記第１の正方形サブブロックの変換係数を逆量子化するための手段と、
前記第１の残差データを生成するために前記逆量子化された変換係数を逆変換するための手段と、
前記第１の正方形サブブロックを復元するために、前記第１の残差データをイントラ予測されたクロマデータの前記第１のブロックに加算するための手段とをさらに備える、請求項１２に記載の装置。
【請求項１４】
前記復元された第１の正方形サブブロックからの前記参照サンプルに加えて他の参照サンプルを使用して、イントラ予測されたクロマデータの前記第２のブロックを生成するための手段をさらに備え、好ましくは、前記第１の正方形サブブロックが前記長方形クロマブロックの上部ブロックであり、前記第２の正方形サブブロックが前記長方形クロマブロックの下部ブロックである、請求項１１に記載の装置。
【請求項１５】
１つまたは複数のプロセッサによる実行時に、前記１つまたは複数のプロセッサに、
コーディングユニットのクロマサンプリングフォーマットに基づいて、前記コーディングユニットのリーフノードに対して、第１の正方形サブブロックと第２の正方形サブブロックとを備える長方形クロマブロックを取得することと、
サブブロックレベルにおいて、前記第１の正方形サブブロックに対する第１の残差データを取得することと、
前記第１の残差データに基づいて、前記第１の正方形サブブロックを復元することと、
前記復元された第１の正方形サブブロックからの参照サンプルを使用して、前記第２の正方形サブブロックをイントラ予測することとを行わせる命令を記憶する、非一時的コンピュータ可読記憶媒体。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
複数の異なるビーム形状を有する光を出力するように動作可能な少なくとも１つの照明デバイスを含む照明システムの制御に使用する光センサの出力を較正する方法であって、
前記照明システムを、互いに異なるそれぞれの構成の光を出力する複数の個別モードのそれぞれにするステップと、
前記複数の個別モードのそれぞれにおいて、前記光センサの前記出力を較正するための対応する較正設定を決定することによって、複数の較正を行うステップと、
を含み、
前記それぞれの構成の光は、前記複数の異なるビーム形状のうちの１つ以上の形状からなる異なるそれぞれのパターンを含み、前記複数の個別モードは、前記照明デバイスのビームモードであり、
動作中、各個別モードは、照射されている環境における光レベルの変化に反応して、前記対応する較正設定によって較正された前記光センサの前記出力に基づいて、前記それぞれの構成の光の出力照明レベルを自動的に変化させる、方法。
【請求項２】
前記複数の個別モードは、少なくとも、第１のモードと第２のモードとを含み、前記対応する較正設定を決定する前記ステップは、
前記照明システムを、前記第１のモードにするステップと、
前記第１のモードにおいて、前記照明システムを、照射されている前記環境において第１の所定の光レベルを達成するものとされる出力照明レベルに設定するステップと、
前記第１の所定の光レベルに対応する前記光センサの出力レベルを決定するステップと、
前記照明システムを、前記第２のモードにするステップと、
前記第２のモードにおいて、前記照明システムを、照射されている前記環境において第２の所定の光レベルを達成するものとされる出力照明レベルに設定するステップと、
前記第２の所定の光レベルに対応する前記光センサの出力レベルを決定するステップと、
を含む、請求項１に記載の方法。
【請求項３】
前記複数の較正は、前記環境における平面を基準として行われる、請求項２に記載の方法。
【請求項４】
前記第１のモードは、周辺光を提供し、前記第２のモードは、照射される表面上に集中される光を提供し、前記表面は、前記平面内に設置されている、請求項３に記載の方法。
【請求項５】
前記第１の所定の光レベルは、前記平面において３００ルクスであり、前記第２の所定の光レベルは、前記平面において５００ルクスである、請求項３又は４に記載の方法。
【請求項６】
前記対応する較正設定は、前記光センサの前記出力の対応するターゲットレベルを含み、前記対応する較正設定を決定する前記ステップは、動作中、前記出力照明レベルを前記対応するターゲットレベルに向けて変化させるように、各モードを設定するステップを含む、請求項１乃至５のうち何れか一項に記載の方法。
【請求項７】
前記複数の個別モードは、少なくとも、第１のモードと第２のモードとを含み、前記第１のモードは、広ビームを出力し、前記第２のモードは、狭ビームを出力する、請求項１に記載の方法。
【請求項８】
前記広ビームは、中空ビームであり、前記狭ビームは、非中空ビームであり、前記第１のモードは、前記中空ビームのみを出力し、前記第２のモードは、前記中空ビームと前記非中空ビームとの両方を出力し、前記非中空ビームは、前記中空ビーム内に向けられている、請求項７に記載の方法。
【請求項９】
前記複数の個別モードは更に、第３のモードを含み、前記第３のモードは、前記非中空ビームのみを出力するように構成される、請求項８に記載の方法。
【請求項１０】
前記照明システムは、前記照明デバイスに関連付けられている領域における人の存在を検出する存在センサを含み、前記方法は、
前記第１のモード及び前記第２のモード間で選択するステップと、
前記領域において前記存在が検出されたかどうかに応じて、前記複数の個別モードのうちの少なくとも１つのモードの前記出力照明レベルを変化させるステップと、
のうちの一方又は両方を前記少なくとも１つの照明デバイスに実行させるステップを含む、請求項２乃至９の何れか一項に記載の方法。
【請求項１１】
前記照明システムは、前記少なくとも１つの照明デバイスと、１つ以上の他の照明デバイスとを含み、前記少なくとも１つの照明デバイスは、前記１つ以上の他の照明デバイスとは独立して、前記出力照明レベルを制御する、請求項１乃至１０の何れか一項に記載の方法。
【請求項１２】
前記光センサは、前記少なくとも１つの照明デバイスによって照射される表面に関連して前記環境における前記光レベルを感知し、前記光センサは、前記環境内で前記表面上以外の場所に設置され、前記表面に向けられている、請求項１乃至１１の何れか一項に記載の方法。
【請求項１３】
少なくとも１つの照明デバイスと、
光センサと、
前記少なくとも１つの照明デバイスを複数の個別モードで動作させる少なくとも１つのコントローラであって、各個別モードは互いに異なる構成の光を出力し、各個別モードは、照射されている環境における光レベルの変化に反応して、前記光センサの出力に基づいて、前記それぞれの構成の光の出力照明レベルを自動的に変化させる、少なくとも１つのコントローラと、
前記複数の個別モードのそれぞれについて対応する較正設定を格納する記憶デバイスと、
を含み、
前記少なくとも１つのコントローラは、前記記憶デバイスと前記光センサとに結合され、前記対応する較正設定で較正された前記光センサの前記出力に基づいて、前記複数の個別モードで動作させる、装置。
【請求項１４】
少なくとも１つの照明デバイスを含む照明システムを動作させるコンピュータプログラムであって、コンピュータ可読記憶媒体上に具現化され、前記照明システムのプロセッサ上で実行されると、
複数の個別モード間で切り替わるように前記照明システムを動作させるステップであって、各個別モードは、互いに異なる構成の光を出力し、各個別モードは、照射されている環境における光レベルの変化に反応して、光センサの出力に基づいて、前記それぞれの構成の光の出力照明レベルを自動的に変化させる、当該ステップと、
前記照明システムに関連付けられている記憶デバイスから、前記複数の個別モードのそれぞれについての対応する較正設定を読み出すステップと、
前記記憶デバイスから読み出された前記対応する較正設定によって較正された前記光センサの前記出力に基づいて、前記複数の個別モードのそれぞれで動作させるステップと、
を実行するように構成されるコードを含む、コンピュータプログラム。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
ユーザ機器上で動作可能なワイヤレス通信の方法であって、
スタンバイ状態で動作する間、拡張アップリンク機能をオンまたはオフにするように構成された情報要素（ＩＥ）を含むブロードキャストメッセージを受信するステップと、
前記ブロードキャストメッセージを受信したことに応答して、シグナリングメッセージを送信するステップと
を有し、
シグナリングメッセージを送信する前記ステップは、所定のイベントが発生するまで、当該送信を保留するステップの後に続くステップである、方法。
【請求項２】
前記スタンバイ状態がＣＥＬＬ＿ＦＡＣＨ状態を含む、請求項１に記載の方法。
【請求項３】
前記拡張アップリンク機能をオンまたはオフにするように構成された前記ＩＥの値が前記ＩＥの以前の値に対して変更されたことを検出するステップをさらに有する、請求項１に記載の方法。
【請求項４】
前記シグナリングメッセージが、前記拡張アップリンク機能に対応する識別子に対する要求を含む、請求項１に記載の方法。
【請求項５】
前記シグナリングメッセージが、前記ユーザ機器とネットワークノードとの間の無線リンク制御（ＲＬＣ）層接続の再確立に続いて、前記ネットワークノードと再同期化するための要求を含む、請求項１に記載の方法。
【請求項６】
前記所定のイベントが、前記拡張アップリンク機能をオンまたはオフするように構成された前記ＩＥを含む前記ブロードキャストメッセージを受信した際に開始されたバックオフタイマの満了を含む、請求項１に記載の方法。
【請求項７】
前記バックオフタイマに対する乱数値を決定するステップをさらに有し、
前記バックオフタイマの前記満了が、前記乱数値に対応する時間の後に発生する、請求項６に記載の方法。
【請求項８】
前記所定のイベントが、１つまたは複数のアップリンクデータパケットがデータチャネル上で送信される準備が整っていると決定することを含む、請求項１に記載の方法。
【請求項９】
ワイヤレス通信のために構成されたユーザ機器であって、
スタンバイ状態で動作する間、拡張アップリンク機能をオンまたはオフにするように構成された情報要素（ＩＥ）を含むブロードキャストメッセージを受信するための手段と、
前記ブロードキャストメッセージを受信したことに応答して、シグナリングメッセージを送信するための手段と
を具備し、
前記シグナリングメッセージを送信する動作は、所定のイベントが発生するまで、当該送信を保留する動作の後に続く動作である、ユーザ機器。
【請求項１０】
前記シグナリングメッセージが、前記拡張アップリンク機能に対応する識別子に対する要求を含む、請求項９に記載のユーザ機器。
【請求項１１】
前記シグナリングメッセージが、前記ユーザ機器とネットワークノードとの間の無線リンク制御（ＲＬＣ）層接続の再確立に続いて、前記ネットワークノードと再同期化するための要求を含む、請求項９に記載のユーザ機器。
【請求項１２】
前記所定のイベントが、前記拡張アップリンク機能をオンまたはオフするように構成された前記ＩＥを含む前記ブロードキャストメッセージを受信した際に開始されたバックオフタイマの満了を含む、請求項９に記載のユーザ機器。
【請求項１３】
前記バックオフタイマに対する乱数値を決定するための手段をさらに具備し、
前記バックオフタイマの前記満了が、前記乱数値に対応する時間の後に発生する、請求項１２に記載のユーザ機器。
【請求項１４】
前記所定のイベントが、１つまたは複数のアップリンクデータパケットがデータチャネル上で送信される準備が整っていると決定することを含む、請求項９に記載のユーザ機器。
【請求項１５】
ワイヤレス通信のために構成されたユーザ機器上で動作可能な命令を格納したコンピュータ読み取り可能な記録媒体であって、
コンピュータに、スタンバイ状態で動作する間、拡張アップリンク機能をオンまたはオフにするように構成された情報要素（ＩＥ）を含むブロードキャストメッセージを受信させるための命令と、
コンピュータに、前記ブロードキャストメッセージを受信したことに応答して、シグナリングメッセージを送信させるための命令と
を格納し、
シグナリングメッセージを送信する動作が、所定のイベントが発生するまで、当該送信を保留する動作の後に続く動作である、コンピュータ読み取り可能な記録媒体。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
無線アクセス技術間(IRAT)測定が望まれるかどうかを判断するステップと、
前記IRAT測定が望まれると判断されたとき、スケジュールされたダウンリンクデータを含むスケジュールされたダウンリンクデータサブフレーム中に前記IRAT測定を実行するステップと、
前記スケジュールされたダウンリンクデータの再送信を復号するステップと
を含む、方法。
【請求項２】
前記復号するステップより前に、前記スケジュールされたダウンリンクデータサブフレームに応答して否定応答(NACK)を送信するステップと、
前記復号するステップより前に、前記スケジュールされたダウンリンクデータサブフレームに応答して前のチャネル品質インデックス(CQI)を送信するステップと
をさらに含む、請求項1に記載の方法。
【請求項３】
以前にスケジュールされたサブフレーム中に前記スケジュールされたダウンリンクデータを復号するステップと、
前記スケジュールされたダウンリンクデータの受信に成功したと判断するステップの後に否定応答(NACK)を送信するステップであって、
前記IRAT測定を実行する前記ステップが、前記スケジュールされたダウンリンクデータの再送信中に行われる、
送信するステップと
をさらに含む、請求項1に記載の方法。
【請求項４】
より小さい推奨トランスポートブロックサイズ(RTBS)を要求するステップであって、
前記IRAT測定を実行する前記ステップが、前記要求されたより小さいRTBSから生じる占有されていないタイムスロット中に行われる、
要求するステップ
をさらに含む、請求項1に記載の方法。
【請求項５】
前記IRAT測定を完了するのに十分なタイムスロットが利用可能になるまで前記より小さいRTBSを繰り返し要求するステップをさらに含む、請求項4に記載の方法。
【請求項６】
前記無線アクセス技術間(IRAT)測定が望まれるかどうかを判断するステップが、タイマーに少なくとも部分的に基づく、請求項1に記載の方法。
【請求項７】
前記無線アクセス技術間(IRAT)測定が望まれるかどうかを判断するステップが、チャネル状態に少なくとも部分的に基づく、請求項1に記載の方法。
【請求項８】
前記スケジュールされたダウンリンクデータが、高速物理ダウンリンク共有チャネル(HS-PDSCH)上にスケジュールされる、請求項1に記載の方法。
【請求項９】
ワイヤレス通信のための装置であって、
無線アクセス技術間(IRAT)測定が望まれるかどうかを判断するための手段と、
前記IRAT測定が望まれると判断されたとき、スケジュールされたダウンリンクデータを含むスケジュールされたダウンリンクデータサブフレーム中に前記IRAT測定を実行するための手段と、
前記スケジュールされたダウンリンクデータの再送信を復号するための手段と
を含む、装置。
【請求項１０】
前記復号することより前に、前記スケジュールされたダウンリンクデータサブフレームに応答して否定応答(NACK)を送信するための手段と、
前記復号することより前に、前記スケジュールされたダウンリンクデータサブフレームに応答して前のチャネル品質インデックス(CQI)を送信するための手段と
をさらに含む、請求項9に記載の装置。
【請求項１１】
以前にスケジュールされたサブフレーム中に前記スケジュールされたダウンリンクデータを復号するための手段と、
前記スケジュールされたダウンリンクデータの受信に成功したと判断した後に否定応答(NACK)を送信するための手段であって、
前記IRAT測定を実行するための手段が、前記スケジュールされたダウンリンクデータの再送信中に前記IRAT測定を実行することを行うようにさらに構成された、
送信するための手段と
をさらに含む、請求項9に記載の装置。
【請求項１２】
より小さい推奨トランスポートブロックサイズ(RTBS)を要求するための手段であって、
前記IRAT測定を実行するための手段が、前記要求されたより小さいRTBSから生じる占有されていないタイムスロット中に前記IRAT測定を実行することを行うようにさらに構成された、
要求するための手段
をさらに含む、請求項9に記載の装置。
【請求項１３】
前記判断するための手段が、タイマーに少なくとも部分的に基づいて前記無線アクセス技術間(IRAT)測定が望まれるかどうかを判断するように構成された、請求項９に記載の装置。
【請求項１４】
前記判断するための手段が、チャネル状態に少なくとも部分的に基づいて前記無線アクセス技術間(IRAT)測定が望まれるかどうかを判断するように構成された、請求項９に記載の装置。
【請求項１５】
ワイヤレスネットワークにおけるワイヤレス通信のためのプログラムコードを記憶した非一時的コンピュータ可読記憶媒体であって、前記プログラムコードが、請求項1乃至8のいずれか1項に記載の方法を実行するためのプログラムコードを含む、非一時的コンピュータ可読記憶媒体。
【手続補正書】
【提出日】平成28年9月1日(2016.9.1)
【手続補正１】
【補正対象書類名】明細書
【補正対象項目名】００１３
【補正方法】変更
【補正の内容】
【００１３】
この研磨組成物は、テトラアルキルアンモニウム塩を含む。テトラアルキルアンモニウム塩は、任意の適切なテトラアルキルアンモニウム塩またはそれらテトラアルキルアンモニウム塩の組合せであることができる。テトラアルキルアンモニウム塩は、好ましくは、テトラメチルアンモニウム、テトラエチルアンモニウム、テトラプロピルアンモニウム、およびテトラブチルアンモニウムからなる群から選択される陽イオンを含む。テトラアルキルアンモニウム塩は、これらに限定されないが水酸化物イオン、塩化物イオン、臭化物イオン、硫酸イオン、または硫酸水素イオンを含めた任意の適切な陰イオンを有することができる。テトラアルキルアンモニウム塩は、水酸化テトラアルキルアンモニウム（例えば水酸化テトラメチルアンモニウム）であることができる。
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
電気通信における送信データパケットを圧縮する方法であって、
第1のワイヤレスノードにおいて、通信リンクにより送信するための送信データパケットを受信するステップと、
メモリ構成要素に保存されているプリセットバイト列と合致する前記送信データパケットにおけるバイト列を検出するステップであって、前記プリセットバイト列が1つまたは複数の他の送信データパケットのペイロードのバイトに対応し、前記1つまたは複数の他の送信データパケットが以前に前記通信リンクにより受信され、かつ、前記第1のワイヤレスノードによって解凍されている、ステップと、
前記メモリ構成要素に保存されている前記プリセットバイト列と合致すると判断されている前記送信データパケットの前記バイト列をロケーションポインタに置換するステップであって、前記送信データパケットにおける前記バイト列を前記ロケーションポインタに置換した後、前記送信データパケットが前記ロケーションポインタおよび1組の文字バイトを含む、ステップと、
前記1組の文字バイトおよび前記ロケーションポインタを含む前記送信データパケットをエントロピーコーディングすることによって、圧縮済み送信データパケットを生成するステップと、
前記通信リンクにより前記圧縮済み送信データパケットを送信するステップと
を含む、方法。
【請求項２】
前記圧縮済み送信データパケットにおける前記エントロピーコーディングを復号して、前記1組の文字バイトおよび前記ロケーションポインタを生成するステップと、
前記ロケーションポインタを走査して、前記ロケーションポインタにおいて、前記メモリ構成要素に保存されているバイトのどのプリセットが置換可能であるかを判断するステップと、
前記ロケーションポインタを、前記メモリ構成要素に保存されている前記プリセットバイト列に置換して、前記送信データパケットを生成するステップと
をさらに含む、請求項1に記載の方法。
【請求項３】
前記ロケーションポインタは、前記メモリ構成要素に保存されている前記プリセットバイト列の長さを示し、前記プリセットバイト列が保存されている前記メモリ構成要素におけるロケーションを指す、請求項1に記載の方法。
【請求項４】
エントロピーコーディングすることによって、圧縮済み送信データパケットを生成するステップは、文字バイトとロケーションポインタの両方に対する一意のプレフィックスフリーコードを生成するステップと、各プレフィックスフリーコードを対応する可変長プレフィックスフリー出力コードワードに置換するステップとをさらに含む、請求項1に記載の方法。
【請求項５】
前記1組の文字バイトおよび前記ロケーションポインタのエントロピーコーディングは、ハフマンコーディングまたは適合型算術コーディングによって実行される、請求項1に記載の方法。
【請求項６】
伝送制御プロトコル/インターネットプロトコル(TCP/IP)パケットの圧縮符号化がTCPペイロードに対して実行される、請求項1に記載の方法。
【請求項７】
UEまたはネットワークによる定義に従い、前記送信データパケットのオーバーヘッドが許容できなくなったときには、前記送信データパケットの前記バイト列を置換するステップおよび圧縮済み送信データパケットを生成するステップは非アクティブにされる、請求項1に記載の方法。
【請求項８】
圧縮済み送信データパケットを生成するステップは、前記エントロピーコーディングの前記1組の文字バイト、前記ロケーションポインタ、およびビット列の間の事前設定静的マッピングに基づく、請求項1に記載の方法。
【請求項９】
前記メモリ構成要素に保存されている前記プリセットバイト列と合致すると判断されている前記送信データパケットの前記バイト列を複数のロケーションポインタに置換するステップをさらに含む、請求項1に記載の方法。
【請求項１０】
請求項1〜9のいずれか一項に記載のステップを実行するように構成される手段を備える、電気通信における送信データパケットを圧縮する装置。
【請求項１１】
請求項1〜9のいずれか一項に記載のステップを実行するように構成されるコードを備える、コンピュータプログラム。
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
照明装置を自己較正する方法であり、
前記照明装置によって照明可能であるエリアの少なくとも一部を含む較正エリアをモニタするステップと、
前記照明装置の１つ以上の光出力設定を較正するステップとを有する方法であって、
前記モニタするステップが、
前記照明装置の光出力を一定に保ちながら、モニタ期間中、前記較正エリアにおいて、少なくとも光強度変化を含む関連する変化のセットの中の関連する変化を、もしあれば、検出するステップと、
前記モニタ期間内の変化量を決定するステップと、
前記変化量と限度値を比較するステップとを、前記変化量が前記限度値を下回るまで繰り返すステップを有する方法。
【請求項２】
前記関連する変化のセットが、物体の任意の運動を検出するステップを有する請求項１に記載の方法。  
【請求項３】
前記モニタ期間が、時間的な隔たりがある期間に分割される請求項１乃至２のいずれか一項に記載の方法。
【請求項４】
前記モニタするステップが、前記較正エリアの画像をキャプチャするステップと、前記画像を互いに比較するステップとを有する請求項１乃至３のいずれか一項に記載の方法。
【請求項５】
前記関連する変化を検出するステップに先立って、
前記モニタ期間を、所定のモニタ時間間隔内でランダムに決定するステップ、及び
モニタ期間の所定のシーケンスのうちの次のモニタ期間を選ぶことによって、前記モニタ期間を決定するステップのうちの１つがある請求項１乃至４のいずれか一項に記載の方法。
【請求項６】
期間が、フレームに分割され、前記モニタ期間が、予め決定され、少なくとも１つのフレームを含み、前記関連する変化を検出するステップの繰り返しごとに少なくとも１つのフレーム進められる請求項１乃至４のいずれか一項に記載の方法。
【請求項７】
前記モニタするステップの前に、前記照明装置の電源オン時に、初期化を実施するステップを有する請求項１乃至６のいずれか一項に記載の方法。
【請求項８】
前記初期化が、待機期間であって、前記待機期間中、前記照明装置の光出力がオフである待機期間を待つステップを有する請求項７に記載の方法。
【請求項９】
前記初期化が、所定の光出力レベルを設定し、前記照明装置によって撮影されるべき画像のための露光時間を推定するステップを有する請求項７又は８に記載の方法。
【請求項１０】
前記初期化が、前記光出力をオフに保ちながら画像をキャプチャするステップを有する請求項７乃至９のいずれか一項に記載の方法。
【請求項１１】
前記光出力設定を較正するステップが、
前記光出力をオフに保ちながら第１画像をキャプチャするステップと、
所定の光出力で第２画像をキャプチャするステップと、
前記第１及び第２画像に基づいて、並びに所定の光出力テンプレートに基づいて、光出力設定を決定するステップとを有する請求項１乃至１０のいずれか一項に記載の方法。
【請求項１２】
制御ユニットと、
１つ以上の光出力設定を供給するよう構成される少なくとも１つの調整可能な光源と、
光学センサとを有する照明装置であって、
前記制御ユニットが、前記照明装置によって照明可能であるエリアの少なくとも一部を含む較正エリアを前記光学センサによってモニタし、前記照明装置の前記１つ以上の光出力設定を較正するよう構成され、
前記制御ユニットが、前記較正エリアをモニタする際、
前記照明装置の光出力を一定に保ちながら、モニタ期間中、前記較正エリアにおいて、少なくとも光強度変化を含む関連する変化のセットの中の関連する変化を、もしあれば、前記光学センサによって検出すること、
前記モニタ期間内の変化量を決定すること、及び
前記変化量と限度値を比較することを、前記変化量が前記限度値を下回るまで繰り返すよう構成される照明装置。